(57)【要約】      （修正有）【課題】伸縮容器の使用寿命の延長を図ることができる気動化学ポンプを提供する。【解決手段】底台１１及び封鎖蓋１２を備える台体１を含み、前記底台は容置区を備え、底台の両側にはそれぞれ容置区と連通する第一及び第二一方向バルブ１４，１５を備え、開口部が第一及び第二一方向バルブと対応する伸縮容器２を含み、伸縮容器の外側周縁には多数の連続状の内凹環槽２１及び外凹環槽２２を環状に設置し、各内凹環槽上はそれぞれ開口部へと傾斜する斜面部２１１を備える。【選択図】図４
0003144904.tif 000002
【実用新案登録請求の範囲】
【請求項１】
気動化学ポンプであって、
少なくとも底台及び封鎖蓋を備え、前記底台は容置区を備え、しかも前記底台の両側にはそれぞれ前記容置区と連通する第一及び第二一方向バルブを備える台体と、
前記台体の容置区中に設置し、その開口部が前記第一及び第二一方向バルブと対応する伸縮容器と、を含み、
前記伸縮容器の内、外側周縁には多数の連続状の内凹環槽及び外凹環槽を環状に設置し、
前記各内凹環槽上にはそれぞれ開口部へと傾斜する斜面部を備えることを特徴とする、
気動化学ポンプ。
【請求項２】
前記伸縮容器の各外凹環槽上にはそれぞれ弾性部品を嵌設することを特徴とする、請求項１記載の気動化学ポンプ。
【考案の詳細な説明】
【技術分野】
【０００１】
本考案は気動化学ポンプ（気動ケミカルポンプ）に関し、特に作業流体を伸縮容器中から完全に排出することができ、伸縮容器の使用寿命を延長できる気動化学ポンプに関する。
【背景技術】
【０００２】
公知の気動化学ポンプ４（図１参照）は、一方向バルブ４１１、４１２を備える台体４１、及び前記台体４１中に設置し、前記一方向バルブ４１１、４１２と対応する伸縮容器４２を含む。
伸縮容器４２は軟性ゴム材質で形成され、その周縁には環状を呈する多数の凹槽４２１を形成している。
これにより、必要な作業流体は一方向バルブ４１１から伸縮容器４２の中に進入し、伸縮容器４２の内部に所定の作業流体が注入されると、作業流体がもう一つの一方向バルブ４１２から排出される。
同時に、前記伸縮容器４２を連動して圧縮を行い、これにより前記伸縮容器４２は抽出動作を行い、圧迫効果を利用して作業流体を排出する。
【０００３】
前記した公知の気動化学ポンプ４は、抽出動作を行って作業流体を排出することはできるが、伸縮容器４２の周縁の各凹槽４２１がそれぞれ水平状態を呈するため、伸縮容器４２が抽出動作を行い作業流体を排出した後、各凹槽４２１中に作業流体液体の残留がしばしば見られる。
しかも前記伸縮容器４２が作動していなければこれら残留液体が乾燥して、前記各凹槽４２１上において結晶物Ａを形成する。
各凹槽４２１上の結晶物Ａは、気動化学ポンプ４が再度作動するときに、伸縮容器４２の圧縮により圧迫されるために、結晶物Ａが軟性ゴム材質の伸縮容器４２を突き破り易い。結晶物Ａが伸縮容器４２を突き破ると、伸縮容器４２に穴が開いて亀裂が生じることがある。
これでは伸縮容器４２の使用寿命及び正常な作動に対して悪影響を及ぼしてしまう。
【考案の開示】
【考案が解決しようとする課題】
【０００４】
本考案は以上の点に鑑みて成されたもので、その目的は、伸縮容器が抽出動作を行う時、その内凹環槽上の斜面部を利用し、作業流体を伸縮容器中から完全に排出して伸縮容器の使用寿命延長を達成する気動化学ポンプを提供することである。
【課題を解決するための手段】
【０００５】
上記課題を解決するため、本考案は下記の気動化学ポンプを提供する。
気動化学ポンプは底台及び封鎖蓋を備える台体、容置区中に設置し、しかも開口部が第一及び第二一方向バルブと対応する伸縮容器を含み、
前記底台は容置区を備え、しかも前記底台の両側にはそれぞれ前記容置区と連通する第一及び第二一方向バルブを備え、
前記伸縮容器の内、外側周縁には多数の連続状の内凹環槽及び外凹環槽を環状に設置し、前記各内凹環槽上にはそれぞれ開口部へと傾斜する斜面部を備える。
【考案の効果】
【０００６】
上記のように、本考案は作業流体を伸縮容器中から完全に排出することができるので、伸縮容器の使用寿命を延長することができる。
【考案を実施するための最良の形態】
【０００７】
図２、３、４はそれぞれ本考案の立体分解指示図、本考案の立体外観指示図、本考案図３のＡ−Ａ位置における断面指示図である。
図２、３、４に示すように、本考案気動化学ポンプは少なくとも台体１及び伸縮容器２により構成する。
台体１は少なくとも底台１１及び封鎖蓋１２を備える。
底台１１及び封鎖蓋１２の間は多数の固定部品１３により固接する。
前記底台１１は容置区１１１を備える。しかも前記底台１１の両側にはそれぞれ前記容置区１１１と連通する第一及び第二一方向バルブ１４、１５を備える。
前記伸縮容器２は前記台体１の容置区１１１中に設置する。
しかもその開口部は前記第一及び第二一方向バルブ１４、１５と対応する。
伸縮容器２の内、外側周縁には多数の連続状の内凹環槽２１及び外凹環槽２２を環状に設置する。
各内凹環槽２１上にはそれぞれ開口部へと傾斜する斜面部２１１を備える。
各外凹環槽２２上にはそれぞれ弾性部品２３を嵌設して上記の構造により全く新しい気動化学ポンプを構成する。
【０００８】
図５は本考案の使用状態断面指示図である。
本考案の気動化学ポンプを使用方法について説明する。
作業流体３は台体１の第一一方向バルブ１４中から球体１４１を押し上方へと移動させる。
これにより前記作業流体３は伸縮容器２中に進入する。
伸縮容器２の内部に所定の作業流体３が注入されると、適当な圧力を生じ、前記第二一方向バルブ１５中の球体１５１を押し下方へと移動させ、作業流体３は第二一方向バルブ１５より排出される。
作業流体３が第二一方向バルブ１５から排出される時には、圧力が発生するため、同時に伸縮容器２を連動し圧縮を行う。伸縮容器２は抽出動作を行う。
こうして圧迫の効果を利用し作業流体３を排出する。
伸縮容器２の各内凹環槽２１上にはそれぞれ斜面部２１１を備えるため、伸縮容器２中の作業流体３は斜面部２１１に沿って伸縮容器２中から完全に排出され、各内凹環槽２１中に残留することはない。
しかも伸縮容器２の各外凹環槽２２上にはそれぞれ弾性部品２３を嵌設するため、伸縮容器２は圧縮されると各弾性部品２３に対応し、最適な回復弾力を発揮する。
こうして前記伸縮容器２の抽出効率を向上させることができる。
上記したように、本考案気動化学ポンプは公知構造の欠点改善に有効で、伸縮容器が抽出動作を行う時、その内凹環槽上の斜面部を利用し、作業流体を伸縮容器中から完全に排出し、こうして伸縮容器の使用寿命延長を達成することができる。
【図面の簡単な説明】
【０００９】
【図１】公知のポンプの断面図である。
【図２】本考案のポンプの立体分解図である。
【図３】本考案のポンプの立体外観図である。
【図４】図３のＡ−Ａ位置における断面図である。
【図５】本考案のポンプの使用状態を説明するための断面図である。
【符号の説明】
【００１０】
４  気動化学ポンプ
４１  台体
４１１、４１２  一方向バルブ
４２  伸縮容器
４２１  凹槽
Ａ  結晶物
１  台体
１１  底台
１１１  容置区
１２  封鎖蓋
１３  固定部品
１４  第一一方向バルブ
１４１、１５１  球体
１５  第二一方向バルブ
２  伸縮容器
２１  内凹環槽
２１１  斜面部
２２  外凹環槽
２３  弾性部品
３  作業流体
【図１】
0003144904.tif 000003
【図２】
0003144904.tif 000004
【図３】
0003144904.tif 000005
【図４】
0003144904.tif 000006
【図５】
0003144904.tif 000007